(57)【要約】【課題】売り手には車両売却情報を提供する機会を高めることができ、買い手には購入意欲を持続させることができ、車両の売却・購入を促進することを目的とする。【解決手段】売り手Ｂの車両売却情報を登録するとともに登録した売り手Ｂの車両売却情報を買い手Ｃに提供するサーバ３と、サーバ情報と売り手Ｂ固有の識別情報とを記録した二次元コード１７が付されたステッカー４と、二次元コード１７から読み取ったサーバ情報によりサーバ３にアクセス可能な携帯通信機器５とから構成され、サーバ３は、買い手Ｃの携帯通信機器５が売り手Ｂの車両１に貼り付けられたステッカー４の二次元コード１７から読み取ったサーバ情報によりアクセスしてきた場合、買い手Ｃの携帯通信機器５がステッカー４の二次元コード１７から読み取った識別情報により特定された売り手Ｂの車両売却情報を買い手Ｃの携帯通信機器５に送信する。【選択図】図１
2017122961.tif 000002
【特許請求の範囲】
【請求項１】
車両の売却を希望する売り手の車両売却情報を登録するとともに登録した前記売り手の車両売却情報を車両の購入を希望する買い手に提供するサーバと、前記サーバに通信回線を介してアクセスするためのサーバ情報と前記売り手の車両売却情報を特定するための識別情報とを記録した二次元コードが付されたステッカーと、前記二次元コードから前記サーバ情報及び前記識別情報を読み取り可能であるとともに読み取った前記サーバ情報により前記サーバにアクセス可能な携帯通信機器とから構成され、前記サーバは、前記買い手の携帯通信機器が前記売り手の車両に貼り付けられた前記ステッカーの二次元コードから読み取った前記サーバ情報によりアクセスしてきた場合、前記買い手の携帯通信機器が前記ステッカーの二次元コードから読み取った前記識別情報により特定された前記売り手の車両売却情報を前記買い手の携帯通信機器に送信することを特徴とする車両の売却情報提供システム。
【請求項２】
前記サーバは、前記売り手の車両売却情報と前記売り手固有の識別情報とを組合わせて登録する売却情報登録部と、前記売り手の車両売却情報と前記識別情報とを作成し、前記売り手の車両売却情報と前記識別情報とを組み合わせて前記売却情報登録部に登録する売却情報登録手段と、前記買い手の携帯通信機器が前記サーバ情報により前記サーバにアクセスしてきた場合、前記識別情報により前記売却情報登録部に登録された前記売り手の車両売却情報を検索して特定し、特定した前記売り手の車両売却情報を前記買い手の携帯通信機器に送信する売却情報検索手段と、を有していることを特徴とする請求項１に記載の車両の売却情報提供システム。
【発明の詳細な説明】
【技術分野】
【０００１】
この発明は車両の売却情報提供システムに係り、特に、買い手が購入を希望する車両の売却情報を通信回線を介して提供可能な車両の売却情報提供システムに関する。
【背景技術】
【０００２】
中古車の車両を購入する場合、通常は買い手が展示場などに行き、現車を確認してから購入を決定する。それ以外にも、カタログ雑誌やインターネットによる購入がある。
【０００３】
インターネットを利用した中古車の取引システムには、売主端末と買主端末と取引を支援するコンピュータ装置を用いた中古車流通システムにおいて、コンピュータ装置は、売主端末から受信した売却中古車情報及び売主情報を登録し、買主端末から受信した購入中古車情報及び買主情報を登録し、整備、査定などの所定業務を行う提携業者の提携業者端末から受信した提携業者情報を登録し、売却中古車情報を含むその他の情報に基づき売主端末と買主端末との間で行う中古車売買の商談を支援し、商談が成立した場合に所定の納車手続を提携業者端末に依頼する機能を備えるものがある。（特許文献１）
【先行技術文献】
【特許文献】
【０００４】
【特許文献１】特開２０１５−３６８４３号公報
【発明の概要】
【発明が解決しようとする課題】
【０００５】
ところで、買い手の車両を購入する動機を考察すると、現車を見たり、カタログ雑誌やインターネットで見る以外に、町中などで見かけた車両に気を引かれ、購入意欲を刺激される場合がある。
【０００６】
しかし、買い手は、購入意欲を刺激されたとしても、その場で車両の情報を手に入れることができないと、購入意欲を持続させることができずに、その車両を忘れてしまうことがある。一方、買い手が購入意欲を刺激された車両の所有者で、その車両の売却を希望している売り手は、車両の売却情報を提供する機会を失うことになる。
【０００７】
そこで、この発明は、売り手にとっては車両売却情報を提供する機会を高めることができ、買い手にとっては購入意欲を持続させることができ、車両の売却・購入を促進することができる車両の売却情報提供システムを提供することを目的とする。
【課題を解決するための手段】
【０００８】
この発明は、車両の売却を希望する売り手の車両売却情報を登録するとともに登録した前記売り手の車両売却情報を車両の購入を希望する買い手に提供するサーバと、前記サーバに通信回線を介してアクセスするためのサーバ情報と前記売り手の車両売却情報を特定するための識別情報とを記録した二次元コードが付されたステッカーと、前記二次元コードから前記サーバ情報及び前記識別情報を読み取り可能であるとともに読み取った前記サーバ情報により前記サーバにアクセス可能な携帯通信機器とから構成され、前記サーバは、前記買い手の携帯通信機器が前記売り手の車両に貼り付けられた前記ステッカーの二次元コードから読み取った前記サーバ情報によりアクセスしてきた場合、前記買い手の携帯通信機器が前記ステッカーの二次元コードから読み取った前記識別情報により特定された前記売り手の車両売却情報を前記買い手の携帯通信機器に送信することを特徴とする。
【発明の効果】
【０００９】
この発明は、売り手がサーバに車両売却情報を登録し、売却を希望する車両にサーバ情報と識別情報とを有する二次元コードが付されたステッカーを貼り付けておき、売り手の車両を見て購入意欲を刺激された買い手が携帯通信機器でステッカーの二次元コードからサーバ情報及び識別情報を読み取って、読み取ったサーバ情報により買い手の携帯通信機器がサーバにアクセスしてきた場合、買い手の携帯通信機器が読み取った識別情報により特定された売り手の車両売却情報を買い手の携帯通信機器に送信する。
これにより、この発明は、売り手の売却を希望する車両を見た買い手に対してその場で車両売却情報を提供することができ、車両を見て購入意欲を刺激された買い手に対してその場で車両売却情報を検討させることができる。
このため、この発明は、売り手にとっては車両売却情報をいつでも提供できることで車両売却情報を提供する機会を高めることができ、買い手にとっては車両を見たその場で車両売却情報を検討できることで購入意欲を持続させることができ、車両の売却・購入を促進することができる。
【図面の簡単な説明】
【００１０】
【図１】図１は車両の売却情報提供システムの構成図である。（実施例）
【図２】図２は車両の売却情報提供システムによる情報提供のフローチャートである。（実施例）
【図３】図３は車両の売却情報提供システムによるステッカーの発行を示すブロック図である。（実施例）
【図４】図４は車両の売却情報提供システムによるステッカーの撮影を示すブロック図である。（実施例）
【図５】図５は車両の売却情報提供システムによるサーバへのアクセスを示すブロック図である。（実施例）
【図６】図６は車両の売却情報提供システムによる携帯通信機器への情報の提供を示すブロック図である。（実施例）
【図７】図７は車両の売却情報提供システムによる購入希望の通知を示すブロック図である。（実施例）
【図８】図８は車両の売却情報提供システムによる商談の成立を示すブロック図である。（実施例）
【図９】図９は車両の売却情報提供システムによる売り手の手続きを示すブロック図である。（実施例）
【図１０】図１０は車両の売却情報提供システムによる買い手の手続きを示すブロック図である。（実施例）
【図１１】図１１は車両の売却情報提供システムによる納車の手続きを示すブロック図である。（実施例）
【図１２】図１２は車両の売却情報提供システムによる買い手が車両購入を希望しない場合の手続きを示すブロック図である。（実施例）
【図１３】図１３は車両の売却情報提供システムによる売り手が車両購入を希望する場合の手続きを示すブロック図である。（実施例）
【発明を実施するための形態】
【００１１】
以下、図面に基づいて、この発明の実施例を説明する。
【実施例】
【００１２】
図１〜図１３は、この発明の実施例を示すものである。図１において、車両１の売却情報提供システム２は、システムの運用者Ａによる車両１の売却を希望する売り手Ｂと車両１の購入を希望する買い手Ｃとの間の情報伝達を支援するものである。売却情報提供システム２は、運用者Ａの管理するサーバ３と、サーバ３が発行するステッカー４と、買い手Ｃの所有する携帯通信機器５とから構成される。また、この実施例では、売り手Ｂの所有する携帯通信機器６を情報伝達に利用している。サーバ３と携帯通信機器５・６とは、無線通信網、携帯電話網、インターネット網などの通信回線７を介して相互に通信可能に構成される。
サーバ３は、コンピュータからなる情報処理装置であり、運用者Ａにより管理される。サーバ３は、キーボードやマウスなどの入力部８、液晶ディスプレイなどの表示部９、プログラムや情報を記憶する記憶部１０、通信回線７を介して外部の通信機器と情報を送受信する通信部１１、情報の入出力、表示、通信、プログラムの実行などを処理する制御部１２を備えている。
記憶部１０は、売却情報登録部１３を有している。売却情報登録部１３は、売り手Ｂの車両売却情報（売却しようとする車両１の金額、仕様、メインテナンス記録、現在の状況など）と、売り手Ｂ固有の識別情報とを組合わせて登録する。
情報の登録は、例えば、連携した整備工場で売り手Ｂの車両１の簡単な検査を行って得た情報や、売り手Ｂの車両１の点検時や車検時の情報を、サーバ３の入力部７により所定の登録書式にしたがい入力することで、売却情報登録部１３に登録する。また、情報の登録は、売り手Ｂの所有する携帯通信機器６から通信回線７を介してサーバ３にアクセスし、所定の登録書式にしたがい車種や売却価格などを入力して送信することで、売却情報登録部１３に登録することもできる。
制御部１２は、プログラムの実行で実現する機能として、売却情報登録手段１４、売却情報検索手段１５を有している。売却情報登録手段１４は、入力部７により入力された情報や通信部１０から入力された情報に基づき売り手Ｂの車両売却情報と売り手Ｂ固有の識別情報とを作成し、売り手Ｂの車両売却情報と識別情報とを組み合わせて売却情報登録部１３に登録する。売却情報検索手段１５は、買い手Ｃの携帯通信機器５がサーバ３にアクセスしてきた場合、識別情報により売却情報登録部１３に登録された売り手Ｂの車両売却情報を検索して特定し、特定した売り手Ｂの車両売却情報を通信部１０により買い手Ｃの携帯通信機器５に送信する。
これにより、サーバ３は、車両１を売却する売り手Ｂの車両売却情報を登録するとともに、登録した売り手Ｂの車両売却情報を車両１の購入を希望する買い手Ｃに提供する。
【００１３】
ステッカー４は、売り手Ｂの所有する車両１が売却を希望する車両であることを明示する媒体であり、車両１に貼り付けられる。ステッカー４には、車両１の売却についての説明文１６、水平方向と垂直方向に情報を記録したマトリックス式やスタック式の二次元コード１７が、印刷などにより付されている。
説明文１６には、ステッカー４が貼られた車両１が売却を希望している車両である旨と、この車両１の購入を希望する場合は二次元コード１７を買い手Ｃが携帯通信機器５で読み取ることで連絡することができる旨の、文章が記載されている。
二次元コード１７には、通信回線７を介してサーバ３にアクセスするためのサーバ情報と、ステッカー４が貼られた車両１を所有する売り手Ｂの車両売却情報を特定するための識別情報と、が記録されている。二次元コード１７は、サーバ３の売却情報登録部１３に登録された売り手Ｂの車両売却情報、識別情報を元に作成され、売り手Ｂに発行される。
【００１４】
買い手Ｃの携帯通信機器５は、スマートフォンなどの多機能携帯電話からなり、サーバ３との間で通信回線７を介して情報を送受信することができる。携帯通信機器５は、ボタンなどの入力部１８、タッチ式の液晶ディスプレイなどからなる表示部１９、プログラムや情報を記憶する記憶部２０、通信回線７を介して外部の通信機器と情報を送受信する通信部２１、ＣＣＤイメージセンサなどの撮像素子を使用したカメラ部２２、情報の入出力、表示、通信、撮像、プログラムの実行などを処理する制御部２３を備えている。
表示部１９は、表示機能だけでなく、表面をタッチすることで情報を入力することが可能であり、入力部としての機能も備えている。制御部２３は、プログラムの実行で実現する機能として、情報読み取り手段２４を有している。
情報読み取り手段２４は、カメラ部２２でステッカー４を撮影した場合、撮影したステッカー４の画像中の二次元コード１７からサーバ情報と識別情報とを読み取って、サーバ情報によりサーバ３にアクセスして識別情報を送信する。
なお、売り手Ｂの携帯通信機器６は、買い手Ｃの携帯通信機器５と同様に構成されているので、説明を省略する。
【００１５】
サーバ３は、アクセスしてきた買い手Ｃの携帯通信機器５に対して、売却情報検索手段１５によって、買い手Ｃの携帯通信機器５が送信した識別情報により売却情報登録部１３に登録された売り手Ｂの車両売却情報を検索して特定し、特定した売り手Ｂの車両売却情報を通信部１１により買い手Ｃの携帯通信機器５に送信する。
携帯通信機器５は、サーバ３から送信された車両売却情報を通信部２１で受信すると、制御部２３により表示部１９に売り手Ｂの車両売却情報を表示させる。
【００１６】
次に、車両１の売却情報提供システム２の作用を説明する。
車両１の売却情報提供システム２は、図２に示すように、車両１の売却を希望する売り手Ｂについて、運用者Ａのサーバ３の売却情報登録部１３に売り手Ｂの車両売却情報と固有の識別情報とを登録する（Ｓ０１）。
売り手Ｂの情報を登録した売却情報提供システム２は、サーバ３の売却情報登録部１３に登録された車両売却情報、識別情報を元にサーバ情報と識別情報を記録した二次元コード１７を作成し、車両１の売却についての説明文１６、情報を記録した二次元コード１７を付したステッカー４を作成して売り手Ｂに発行する（Ｓ０２）。発行されたステッカー４は、売り手Ｂの所有する車両１に貼り付けられる（Ｓ０３）。
売り手Ｂが売却を希望する車両１を町中で見て購入意欲を刺激された買い手Ｃが、車両１に貼り付けられたステッカー４の説明文１６を読んで、所有する携帯通信機器５のカメラ部２２でステッカー４を撮影すると（Ｓ０４）、情報読み取り手段２４によってステッカー４の画像中の二次元コード１７からサーバ情報と識別情報とを読み取り（Ｓ０５）、サーバ情報によりサーバ３にアクセスして識別情報を送信する（Ｓ０６）。
買い手Ｃの携帯通信機器５からアクセスされたサーバ３は、売却情報検索手段１５によって、買い手Ｃの携帯通信機器５が送信した識別情報により売却情報登録部１３に登録された売り手Ｂの車両売却情報を検索して特定し（Ｓ０７）、特定した売り手Ｂの車両売却情報を通信部１１により買い手Ｃの携帯通信機器５に送信する（Ｓ０８）。
サーバ３から送信された売り手Ｂの車両売却情報を通信部２１で受信した携帯通信機器５は、制御部２３により表示部１９に売り手Ｂの車両売却情報を表示させる（Ｓ０９）。これにより、買い手Ｃは、車両１を見たその場で車両売却情報を取得することができ、車両売却情報を参照して購入についての検討を行うことができる。
【００１７】
このように、車両１の売却情報提供システム２は、売り手Ｂがサーバ３に車両売却情報を登録し、売却を希望する車両１にサーバ情報と識別情報とを有する二次元コード１７が付されたステッカー４を貼り付けておき、売り手Ｂの車両１を見て購入意欲を刺激された買い手Ｃが携帯通信機器５でステッカー４の二次元コード１７からサーバ情報及び識別情報を読み取って、読み取ったサーバ情報により買い手Ｃの携帯通信機器５がサーバ３にアクセスしてきた場合、買い手Ｃの携帯通信機器５が読み取った識別情報により特定された売り手Ｂの車両売却情報を買い手Ｃの携帯通信機器５に送信する。
これにより、売却情報提供システム２は、売り手Ｂの売却を希望する車両１を見た買い手Ｃに対してその場で車両売却情報を提供することができ、車両１を見て購入意欲を刺激された買い手Ｃに対してその場で車両売却情報を検討させることができる。
このため、売却情報提供システム２は、売り手Ｂにとっては車両売却情報をいつでも提供できることで車両売却情報を提供する機会を高めることができ、買い手Ｃにとっては車両１を見たその場で車両売却情報を検討できることで購入意欲を持続させることができ、車両１の売却・購入を促進することができる。
【００１８】
車両１の売却情報提供システム２は、図１・図２に示すように、買い手Ｃに売り手Ｂの車両売却情報を提供するだけでなく、図３〜図１３に示すように、車両売却情報の提供に続いて、売り手Ｂと買い手Ｃとの間の商談、商談成立後の売り手Ｂ・買い手Ｃの手続き、納車、商談不成立時の買い手Ｃへの対応、商談成立後の売り手Ｂへの対応、などを支援することもできる。
【００１９】
車両１の売却情報提供システム２は、以下のように、売り手Ｂ・買い手Ｃに対する車両売却情報の提供、車両１の売却・購入の支援を行う。
【００２０】
（１）．ステッカーの発行（図３）
売却情報提供システム２は、運用者Ａのサーバ３に売り手Ｂの車両売却情報と固有の識別情報とを登録し、車両１の売却についての説明文１６と、サーバ情報、識別情報を記録した二次元コード１７を付したステッカー４を売り手Ｂに発行する。発行されたステッカー４は、売り手Ｂの所有する車両１に貼り付けられる。
情報の登録は、例えば、連携した整備工場で売り手Ｂの車両１の簡単な検査を行って得た情報や、売り手Ｂの車両１の点検自や車検時の情報をそのままサーバ３に入力して登録することで、連携した整備工場への車両１の誘い込みになる。
【００２１】
（２）．ステッカーの撮影（図４）
売り手Ｂの車両１に貼り付けてあるステッカー４は、誰でも携帯通信機器５で撮影することができるので、町中で車両１を見てステッカー４を撮影した人を買い手Ｃとする。買い手Ｃは、車両１を見て購入意欲を刺激された人であり、車両購入の可能性のある人である。
【００２２】
（３）．サーバへのアクセス（図５）
買い手Ｃが携帯通信機器５でステッカー４を撮影すると、ステッカー４の二次元コード１７に記録されたサーバ情報により携帯通信機器５がサーバ３にアクセスして識別情報を送信する。
【００２３】
（４）．サーバからの情報提供（図６）
携帯通信機器５がサーバ３にアクセスすると、サーバ３から買い手Ｃの携帯通信機器５に売り手Ｂの車両売却情報が通信され、受信した携帯通信機器５の表示部１７に車両売却情報が表示される。買い手Ｃは、車両１を見たその場で、車両売却情報から、車両１の希望売却金額、メンテナンス記録、現在の状況、売り手Ｂのコメントなどの様々な情報を知ることができ、車両購入を検討することができる。なお、売り手Ｂの個人情報は表示されない。
【００２４】
（５）．買い手Ｃの購入希望の通知（図７）
買い手Ｃは、受信した車両売却情報の車両１を購入したいと思った場合、購入を希望する旨の通知を携帯通信機器５によりサーバ３に送信して伝える。買い手Ｃの購入希望の通知を受信したサーバ３は、買い手Ｃの購入希望の通知を売り手Ｂに伝え、売り手Ｂと買い手Ｃとの商談を開始する。
買い手Ｃの購入希望の通知は、サーバ３の通信部１１により売り手Ｂの所有する携帯通信機器６に送信することで、売り手Ｂに伝えることができる。商談においては、サーバ３によって、売り手Ｂの携帯通信機器６と買い手Ｃの携帯通信機器５との間で、売り手Ｂ・買い手Ｃの各要望を送受信することで、商談を仲介することができる。したがって、売り手Ｂと買い手Ｃとは、直接話しあうことがない。
【００２５】
（６）．商談の成立（図８）
売り手Ｂ・買い手Ｃが互いの要望を受け入れて商談が成立した場合は、売り手Ｂの携帯通信機器６・買い手Ｃの携帯通信機器５によって、商談成立の通知をサーバ３に送信する。商談成立の通知を受信したサーバ３は、契約について、売り手Ｂ・買い手Ｃのそれぞれが必要な手続きの通知を、売り手Ｂの携帯通信機器６・買い手Ｃの携帯通信機器５に送信する。
【００２６】
（７）．売り手Ｂの手続き（図９）
サーバ３の運用者Ａは、商談の成立による売り手Ｂから買い手Ｃへの車両１の受け渡しに当たり、専用整備工場で車両１の点検・整備を行う。このとき、売り手Ｂには、引き渡しによる次の車両の購入や、引渡しから次の車両の購入までの代車が必要となる。そこで、運用者Ａは、売り手Ｂにサーバ３に登録している車両を紹介するために、サーバ３の車両売却情報を売り手Ｂの携帯通信機器６に送信することも可能である。
【００２７】
（８）．買い手Ｃの手続き（図１０）
サーバ３の運用者Ａは、商談の成立による車両１の受け渡しに当たり、買い手Ｃの車両１の登録や、ローンを含めた支払い手続きを行う。個人同士の取引ではリスクの大きい金銭の授受や、購入した車両１の修理保証なども、運用者Ａが引き受けることができる。
【００２８】
（９）．納車の手続き（図１１）
サーバ３の運用者Ａは、（７）、（８）の手続きが終わった後、買い手Ｃに納車する。したがって、車両１の登録から納車まて、売り手Ｂ・買い手Ｃ同士が会うことはない。しかしながら、売り手Ｂの、車両１を大切にして欲しい等のメッセージは、サーバ３を介して買い手Ｃの携帯通信機器５に送信可能であり、また、担当者から買い手Ｃにメッセージが記載された文書を手渡すことも可能である。
【００２９】
（１０）．買い手Ｃが車両購入を希望しなかった場合の手続き（図１２）
売り手Ｂと買い手Ｃの金額や条件などが合わずに商談が成立せず、買い手Ｃが購入を希望しなかった場合において、買い手Ｃが他の車両売却情報の紹介を望んで、買い手Ｃの携帯通信機器５からサーバ３にアクセスしてきた場合、サーバ３は引き続き登録されている車両売却情報の中から買い手Ｃの希望に添える車両売却情報を買い手Ｃの携帯通信機器５に送信する。
これにより、売却情報提供システム２は、買い手Ｃに新たな車両売却情報を取得させることができ、車両１の購入を促進することができる。
なお、売り手Ｂと買い手Ｃの商談が成立しなくても、買い手Ｃが売り手Ｂの車両１に貼られたステッカー４によりサーバ３へアクセスしたことをきっかけに、買い手Ｃがサーバ３に登録されている異なる売り手Ｂとの商談を成立させて異なる売り手Ｂの車両１を購入した場合には、アクセスのきっかけとなったステッカー４が貼り付けられた車両１の売り手Ｂに報酬を支払うようにすることもできる。
つまり、売却情報提供システム２において、成功報酬型広告（アフィリエイト・マーケティング）としてステッカー４を利用し、買い手Ｃがアクセスのきっかけとなったステッカー４の貼り付けられた車両１の売り手Ｂとは異なる売り手Ｂとの商談を成立させた場合には、きっかけとなった売り手Ｂに対して成功報酬を与えるようにすることで、車両１の売却を希望する売り手Ｂのサーバ３への登録意欲を増進させて車両売却情報の登録数を増大させることができ、結果として、ステッカー４の発行数を増大させて買い手Ｃが車両売却情報を検討する機会を高めることができ、車両１の購入を促進することができる。
【００３０】
（１１）．売り手Ｂが次の車両購入を希望する場合の手続き（図１３）
サーバ３は、商談の成立で車両１を売却した売り手Ｂが次の車両購入を望んで、売り手Ｂの携帯通信機器６からサーバ３にアクセスしてきた場合、サーバ３に登録されている車両売却情報の中から売り手Ｂの希望に添える車両売却情報を売り手Ｂの携帯通信機器６に送信する。
これにより、売却情報提供システム２は、車両１を売却した売り手Ｂに車両売却情報を提供することができ、車両１の購入を促進することができる。
【００３１】
このように、売却情報提供システム２は、買い手Ｃに売り手Ｂの車両売却情報を提供するだけでなく、買い手Ｃが購入を希望した場合は売り手Ｂに買い手Ｃの購入希望を伝えて商談を支援し、商談の成立後においては車両１の受け渡しの手続きや納車をサポートし、買い手Ｃが購入を希望しない場合は登録された他の車両売却情報を提供し、車両１を売却した売り手Ｂが購入を希望する場合は登録された他の車両売却情報を提供することができ、車両１の売却・購入をさらに促進することができる。
また、売却情報提供システム２は、売り手Ｂ・買い手Ｃに対して登録した車両売却情報を基に数年おきに買い換えの通知を送信することができ、売り手Ｂ・買い手Ｃの利便性を追求して、長い年月に渡って売り手Ｂ・買い手Ｃを囲い込んで車両１の売却・購入を促進することが可能になる。
なお、上述実施例においては、車両売却情報の提供について説明したが、町中で見かけることのできる自転車や不動産などの物品の売却情報の提供についても、適用することができる。この場合は、売却を希望する売り手の物品の売却情報をサーバに登録し、サーバ情報と売り手の識別情報とを有する二次元コードが付されたステッカーを物品に貼り付けることで、買い手に対して物品を見たその場で物品の売却情報を提供して検討させることができ、売却・購入を促進することができる。
【産業上の利用可能性】
【００３２】
この発明は、売り手にとっては車両売却情報を提供する機会を高めることができ、買い手にとっては購入意欲を持続させることができ、車両の売却・購入を促進することができるものであり、車両に限らず、ステッカーを貼り付けて町中で公衆に見られる状態となる物品の売却に適用することが可能である。
【符号の説明】
【００３３】
１  車両
２  売却情報提供システム
３  サーバ
４  ステッカー
５  携帯通信機器
６  携帯通信機器
７  通信回線
１０  記憶部
１２  制御部
１３  売却情報登録部
１４  売却情報登録手段
１５  売却情報検索手段
１６  説明文
１７  二次元コード
２３  制御部
２４  情報読み取り手段
【図１】
2017122961.tif 000003
【図２】
2017122961.tif 000004
【図３】
2017122961.tif 000005
【図４】
2017122961.tif 000006
【図５】
2017122961.tif 000007
【図６】
2017122961.tif 000008
【図７】
2017122961.tif 000009
【図８】
2017122961.tif 000010
【図９】
2017122961.tif 000011
【図１０】
2017122961.tif 000012
【図１１】
2017122961.tif 000013
【図１２】
2017122961.tif 000014
【図１３】
2017122961.tif 000015